(57)【要約】【課題】冷却風が調理庫の発熱により温められず、熱源や熱源周辺部材の冷却効率を高くすること。【解決手段】調理庫２２の上方に配置した調理庫遮蔽板３２上に熱源１１と熱源１１の略中心に向かって送風する風路を形成するダクト３９は冷却風を分離し複数の開口部４０から送風する構成を有し、複数の開口部４０はそれぞれ斜め方向と横方向から熱源１１に吹付ける構成とすることで、熱源１１の上面と下面側双方から同時に冷却風を熱源１１及び熱源周辺部材へと導風することができる。【選択図】図３
2011099643.tif 000002
【特許請求の範囲】
【請求項１】
熱源を有する調理器本体と、前記調理器本体内の発熱部位に送風し略水平面上に設けられた回転軸を中心に回転し強制冷却するファンと、前記調理器本体の外郭外面前部もしくは底部又は双方に設けられた吸気口と、略垂直平面上にファンのファン吸気口と、前記吸気口から前記調理器本体外の空気を吸気し前記ファンにより略後方へ送風された冷却風の下流側に前記熱源の出力を制御する制御基板と、前記制御基板の下方に基板を収納し固定する基板ケースと、前方開口部を開閉する扉を有し内部に収納された被加熱物を加熱する調理庫と、前記調理器本体の外郭外面後方の上部又は後部に配置し冷却風を排気する排気口と、前記調理器本体の前方に設けた前記ファンの外周における略接線方向に設けたファン排気口と、前記調理庫の上方に調理庫遮蔽板と、前記調理庫遮蔽板上に熱源と前記熱源の略中心に向かって送風する風路を形成するダクトとを有し、前記ファン排気口から前記ファンの外周における略接線方向に吹き出した冷却風を前記ダクトに導風する風路と、前記ダクトは冷却風を分離し複数の開口部から送風する風路を備え、前記複数の開口部はそれぞれ斜め方向と横方向から前記熱源に吹付ける構成とした加熱調理器。
【請求項２】
熱源に制御基板から電力を供給するために設けた端子部と、ダクトは前記端子部に向けて分離した冷却風を送風する構成とを更に有する請求項１に記載の加熱調理器。
【請求項３】
調理庫遮蔽板上に冷却風を排気口へと送風する調理庫遮蔽板開口部を更に有し、前記調理庫遮蔽板開口部と熱源とダクトが略直線上に配置される構成とした請求項１または２に記載の加熱調理器。
【請求項４】
調理庫遮蔽板とダクトで形成される冷却風を導風する風路内の前記調理庫遮蔽板上に断熱部材を有する請求項１〜３のいずれか１項に記載の加熱調理器。
【請求項５】
熱源に制御基板から電力を供給するために設けたリード線を有し、リード線を固定するリード線固定形状をダクトの一部で形成した請求項１〜３のいずれか１項に記載の加熱調理器。
【請求項６】
ダクトの熱源に送風する複数の開口部の少なくとも一つの開口部の上面は前記熱源の上部よりも上方に形成した請求項１〜３のいずれか１項に記載の加熱調理器。
【発明の詳細な説明】
【技術分野】
【０００１】
本発明は、加熱調理器における発熱部品の冷却構成に関するものである。
【背景技術】
【０００２】
従来、この種の加熱調理器は、冷却ファンによって送風された冷却風を直接調理庫側の熱源および周辺の部材を冷却する構成とされていた（例えば、特許文献１参照）。
【先行技術文献】
【特許文献】
【０００３】
【特許文献１】特開２００９−０５２８６４号公報
【発明の概要】
【発明が解決しようとする課題】
【０００４】
しかしながら、前記従来の構成では、近年加熱部の出力が高まっているため熱源およびその周辺部材の発熱量も大きくなっている。従来の構成では、熱源及びその周辺部材の冷却効率が低下し、効率よく冷却することが困難であるという課題を有していた。
【０００５】
本発明は、前記従来の課題を解決するもので、調理器本体前方に冷却ファンを配置し、冷却ファンから直接熱源及び熱源周辺部材へと冷却風を導風すると同時に、ダクトにより冷却風を分岐させ、熱源の上方の隙間に向けて開口部を設け、一方は熱源の下方の隙間へ開口部を設け横方向から送風し、熱源に冷却風を吹付ける構成とすることで、冷却効率を高めた信頼性に富む商品価値の高い加熱調理器を提供することを目的とする。
【課題を解決するための手段】
【０００６】
前記従来の課題を解決するために、本発明の加熱調理器は、熱源を有する調理器本体と、調理器本体内の発熱部位に送風し略水平面上に設けられた回転軸を中心に回転し強制冷却するファンと、調理器本体の外郭外面前部もしくは底部又は双方に設けられた吸気口と、略垂直平面上にファンのファン吸気口と、吸気口から調理器本体外の空気を吸気しファンにより略後方へ送風された冷却風の下流側に熱源の出力を制御する制御基板と、制御基板の下方に基板を収納し固定する基板ケースと、前方開口部を開閉する扉を有し内部に収納された被加熱物を加熱する調理庫と、前記調理器本体の外郭外面後方の上部又は後部に配置し冷却風を排気する排気口と、調理器本体の前方に設けたファンの外周における略接線方向に設けたファン排気口と、前記調理庫の上方に調理庫遮蔽板と、前記調理庫遮蔽板上に熱源と前記熱源の略中心に向かって送風する風路を形成するダクトとを有し、前記ファン排気口からファンの外周における略接線方向に吹き出した冷却風を前記ダクトに導風する風路と、前記ダクトは冷却風を分離し複数の開口部から送風する風路を備え、前記複数の開口部はそれぞれ斜め方向と横方向から熱源に吹付ける構成としたものである。
【発明の効果】
【０００７】
本発明の加熱調理器は、熱源に冷却風を分岐導風し効率よく熱源及び熱源周辺部材の冷却効率を高めた信頼性に富む商品価値の高い加熱調理器を提供することができる。
【図面の簡単な説明】
【０００８】
【図１】本発明の実施の形態１における加熱調理器の詳細図
【図２】本発明の実施の形態１における加熱調理器の詳細図
【図３】本発明の実施の形態１における加熱調理器の詳細図
【図４】本発明の実施の形態２における加熱調理器の詳細図
【図５】本発明の実施の形態３における加熱調理器の詳細図
【図６】本発明の実施の形態４における加熱調理器の詳細図
【図７】本発明の実施の形態５における加熱調理器の詳細図
【図８】本発明の実施の形態６における加熱調理器の詳細図
【発明を実施するための形態】
【０００９】
第１の発明は、熱源を有する調理器本体と、調理器本体内の発熱部位に送風し略水平面上に設けられた回転軸を中心に回転し強制冷却するファンと、調理器本体の外郭外面前部もしくは底部又は双方に設けられた吸気口と、略垂直平面上にファンのファン吸気口と、吸気口から調理器本体外の空気を吸気しファンにより略後方へ送風された冷却風の下流側に熱源の出力を制御する制御基板と、制御基板の下方に基板を収納し固定する基板ケースと、前方開口部を開閉する扉を有し内部に収納された被加熱物を加熱する調理庫と、前記調理器本体の外郭外面後方の上部又は後部に配置し冷却風を排気する排気口と、調理器本体の前方に設けたファンの外周における略接線方向に設けたファン排気口と、前記調理庫の上方に調理庫遮蔽板と、前記調理庫遮蔽板上に熱源と前記熱源の略中心に向かって送風する風路を形成するダクトとを有し、前記ファン排気口からファンの外周における略接線方向に吹き出した冷却風を前記ダクトに導風する風路と、前記ダクトは冷却風を分離し複数の開口部から送風する風路を備え、前記複数の開口部はそれぞれ斜め方向と横方向から熱源に吹付ける構成とすることにより、熱源の上面と下面側双方から同時に冷却風を熱源及び熱源周辺部材へと導風することができる。よって冷却効率を高めた信頼性に富む、内部部品の冷却効率の高い耐久性に富む商品価値の高い加熱調理器とすることができる。
【００１０】
第２の発明は、特に、第１の発明において、熱源に制御基板から電力を供給するために設けた端子部と、ダクトは端子部に向けて分離した冷却風を送風する構成とを更に有することにより、熱源に電力を供給するために設けた端子部の冷却効率を更に高めた信頼性に富む、内部部品の冷却効率の高い耐久性に富む商品価値の高い加熱調理器とすることができる。
【００１１】
第３の発明は、特に、第１または第２の発明において、調理庫遮蔽板上に冷却風を排気口へと送風する調理庫遮蔽板開口部を更に有し、調理庫遮蔽板開口部と熱源とダクトが略直線上に配置される構成とすることにより、冷却風を円滑に排気導風できる構成となる。以上のことにより熱源及び熱源周辺部材の冷却効率を高めた信頼性に富む、内部部品の冷却効率の高い耐久性に富む商品価値の高い加熱調理器とすることができる。
【００１２】
第４の発明は、特に、第１〜３のいずれか１つの発明において、調理庫遮蔽板とダクトで形成される冷却風を導風する風路内の前記調理庫遮蔽板上に断熱部材を有する構成とすることにより、更に冷却風が調理庫から受熱することを防ぎ冷却効率を高めた信頼性に富む、内部部品の冷却効率の高い耐久性に富む商品価値の高い加熱調理器とすることができる。
【００１３】
第５の発明は、特に、第１〜３のいずれか１つの発明において、熱源に制御基板から電力を供給するために設けたリード線を有し、リード線を固定するリード線固定形状をダクトの一部で形成したことにより、更に冷却風が調理庫から受熱することを防ぐと同時に組立性が向上し、リード線や端子部を含む熱源周辺部材および熱源の冷却効率を高めた信頼性に富む、内部部品の冷却効率の高い耐久性に富む商品価値の高い加熱調理器とすることができる。
【００１４】
第６の発明は、特に、第１〜３のいずれか１つの発明において，ダクトの熱源に送風する複数の開口部の少なくとも一つの開口部の上面は熱源の上部よりも上方に形成したことにより，熱源周辺部材および熱源の冷却効率を高めた信頼性に富む，内部部品の冷却効率
の高い耐久性に富む商品価値の高い加熱調理器とすることができる。
【００１５】
以下、本発明の実施の形態について、図面を参照しながら説明する。なお、この実施の形態によって本発明が限定されるものではない。
【００１６】
（実施の形態１）
図１〜３は本発明の第１の実施の形態における加熱調理器の詳細図を示すものである。
【００１７】
図１〜３において、熱源１１を有する調理器本体１２と、調理器本体１２内の発熱部位１４に送風し、略水平面上に設けられた回転軸を中心に回転し強制冷却するファン１５と、調理器本体１２の外郭外面前部もしくは底部又は双方に設けられた吸気口１３と、略垂直平面上にファン１５のファン吸気口１７と、吸気口１３から調理器本体１２外の空気を吸気しファン１５により略後方へ送風された冷却風の下流側に熱源１１の出力を制御する制御基板２０と、制御基板２０の下方に基板を収納し固定する基板ケース２１と、前方開口部を開閉する扉３１を有し、内部に収納された被加熱物を加熱する調理庫２２と、前記調理器本体１２の外郭外面後方の上部又は後部に配置し冷却風を排気する排気口１０と、調理器本体１２の前方に設けたファン１５の外周における略接線方向に設けたファン排気口３０と、調理庫２２の上方に調理庫遮蔽板３２と、調理庫遮蔽板３２上に熱源１１と、熱源１１の略中心に向かって送風する風路を形成するダクト３９とを有し、ファン排気口３０からファン１５の外周における略接線方向に吹き出した冷却風をダクト３９に導風する風路と、ダクト３９は冷却風を分離し複数の開口部４０から送風する風路を備え、複数の開口部４０はそれぞれ斜め方向と横方向から熱源に吹付ける構成としている。
【００１８】
以上のように構成された加熱調理器の冷却風の経路構成について、以下その動作、作用を説明する。
【００１９】
熱源にガス等の炎を用いた加熱調理器や磁界を発生し鍋等を加熱する誘導加熱コイルや電気的な抵抗に電流を流すことによりジュール熱を発生させる熱源等を有する加熱調理器の場合、調理器の動作を制御する制御基板が熱源で発生した熱により加熱される。
【００２０】
更に、誘導加熱コイルにより鍋を発熱させる加熱調理器においては、誘導加熱コイルや内部の制御基板の回路上を流れる電流と回路が持つ電気抵抗により誘導加熱コイルや制御基板が自己発熱する。
【００２１】
誘導加熱コイルや制御基板上の部品を耐熱温度以下に温度を下げるために、調理器外部の空気を吸気し、内部の部品を冷却した後、排気する強制空冷方式の冷却構成が必要となる。
【００２２】
更に調理庫２２は、調理庫２２の内部でヒーター等の発熱部材を発熱させることにより被加熱物を調理する方式であるため周辺部材の温度が上昇する。したがって、周辺部材の温度上昇あるいは調理器本体外郭外面の温度上昇を抑制するために冷却風を導風する必要がある。
【００２３】
従来の加熱調理器においては、調理庫２２側の熱源１１に冷却風を直接送風する構成としていた。
【００２４】
しかしながら、前記従来の方式においては、調理庫２２周辺の熱が熱源１１に伝熱し、熱源１１および熱源１１周辺の部材へ方向を定めてうまく導風することが困難であった。
【００２５】
更に、熱源の高出力化、高火力化に伴い、熱源１１及び熱源周辺の部材の発熱量も多く
なり冷却効率の向上が益々必要となっている。
【００２６】
そこで、本実施の形態においては、ファン１５の外周における略接線方向に吹き出した冷却風を、調理庫遮蔽板３２上に熱源１１と熱源１１の略中心に向かって送風する風路を形成するダクト３９へと導風し分岐させ、複数の開口部４０から送風する構成を有し、複数の開口部４０からそれぞれ斜め方向と横方向から熱源１１に冷却風を吹付ける構成とすることで、熱源１１の上面と下面側双方から同時に冷却風を熱源１１及び熱源１１周辺部材へと導風する。
【００２７】
このことにより、熱源１１が調理庫２２の発熱により温められることを防ぐと同時に、ファン１５が吸気した調理器本体１２外の略室温に近い比較的冷たい冷却風を直接熱源１１へと送風することが可能となる。
【００２８】
よって冷却効率を高めた信頼性に富む，内部部品の冷却効率の高い耐久性に富む商品価値の高い加熱調理器とすることができる。熱源１１や熱源１１周辺の部材を調理庫２２の熱から保護し、部品をその耐熱温度以下にすることが容易に可能となる。
【００２９】
このことにより、少ない風量で冷却効率を高めた構成となるためファン１５の回転数を低くすることができ、低騒音で高効率の冷却性能が実現できる加熱調理器とすることができる。
【００３０】
熱源１１周辺の部材には、熱源１１の位置を表示するための発光リングを発光させるためのＬＥＤやＬＥＤを実装する制御基板およびＬＥＤに電力を供給するコネクタやリード線、更に熱源１１により加熱される鍋等の温度を検知する温度検知手段やその制御に必要な制御基板およびその駆動に必要な電力を供給するコネクタやリード線を含み、それらを冷却することができる。
【００３１】
更に、熱源１１周辺部材の温度上昇が制限となり、熱源１１の出力が十分上げられず加熱調理性能が劣化するという課題も解決することができる。
【００３２】
また、ファン吸気口１７を吸気口１３の近傍に設けずに略同一平面とは異なる位置、例えば略垂直平面に設置し、ファン１５の吸気口１３からファン吸気口１７へ至る吸気経路を構成することにより、調理物である煮汁等が吸気口１３へ吸引されても直ちにファン吸気口１７へ至り、調理器内部へ侵入する可能性を低下させることができる。
【００３３】
略垂直平面とは、略水平面上に対し６０〜１２０度となる平面であることが望ましい。それは、冷却が必要な発熱部品は一般的に冷却ファンに対しこの範囲内に存在するためである。
【００３４】
吸気口１３を調理器本体１２の底部もしくは、その近傍の前部に設ける位置関係上、ファン吸気口１７は吸気口１３よりも上方に設けられ、吸気口１３からファン吸気口１７へ至る吸気経路内の空気が下方から上方へ流れる。
【００３５】
万一、吸気口１３から調理物である煮汁等を吸気口から吸気しても、吸気経路内で煮汁等の自重により落下し、調理器内部へ侵入する可能性を低下させる効果がある。
【００３６】
更に、吸気口１３からファン吸気口１７へ至る吸気経路の断面積を吸気口１３の開口面積よりも大きくすることにより、経路中を流れる空気の流速を減少させ、吸気経路における煮汁等の自重落下を促進し、万一吸気口１３から調理物である煮汁等を吸気口から吸気してもファン吸気口１７へ至り、調理器内部へ侵入する可能性を低下させる効果がある。
【００３７】
ファン１５（翼車）から発生した風の向きをファンケース１６により変化させた後、制御基板上の発熱部品へ送風する構成である遠心式のファン１５を用いることにより、ファン吸気口１７に調理物の煮汁等が進入しても、煮汁の主な成分である水分は空気と比較して自重が重いため、遠心力によりファン１５の回転中心よりも外側へ飛ばされファンケース１６に当たり付着する。
【００３８】
このことにより、直接調理機内の電子部品に水分が付着する可能性を低下させる効果がある。更にファンケース１６に付着した煮汁等の調理物が堆積することを妨げるため、ファンケース１６内部に排出溝を設け、調理器本体１２外へ排出する構成としても良い。
【００３９】
遠心式のファン１５には多翼ファン（シロッコファン）、ターボファンやラジアルファン等やその他の遠心式のファンを用いても同様の効果が得られる。キッチンに組み込むビルトインタイプの加熱調理器のみならず、台上に設置する据え置きタイプの加熱調理器において前記のような構成としても同様の効果が得られる。
【００４０】
以上のように本実施の形態においては、ファン１５の外周における略接線方向に吹き出した冷却風を、調理庫遮蔽板３２上に熱源１１と熱源１１の略中心に向かって送風する風路を形成するダクト３９へと導風し分岐させ、複数の開口部４０から送風する構成を有し、複数の開口部４０からそれぞれ斜め方向と横方向から熱源１１に冷却風を吹付ける構成とすることにより、熱源１１の上面と下面側双方から同時に冷却風を熱源１１及び熱源１１周辺部材へと導風し、熱源１１が調理庫２２の発熱により温められることを防ぐと同時に、ファン１５が吸気した調理器本体１２外の略室温に近い比較的冷たい冷却風を直接熱源１１へと送風することが可能となり、内部部品の冷却効率の高い耐久性に富む商品価値の高い加熱調理器とすることができる。
また、調理物を加熱する際に暖められた空気と共に油煙や蒸気および調理物である煮汁等を吸気口から吸気し難い構成となる。これにより、使い勝手の良い、冷却効率の優れた信頼性に富む商品価値の高い加熱調理器とすることができる。
【００４１】
（実施の形態２）
図４は本発明の第２の実施の形態における加熱調理器の詳細図を示すものである。基本的な構成は実施の形態１と同様であるため、構成の違うところのみを説明する。
【００４２】
図４に示すように、実施の形態１に加え、熱源１１に制御基板２０から電力を供給するために設けた端子部５１と、ダクト３９は端子部５１に向けて分離した冷却風を送風する構成を有するものである。
【００４３】
以上のように構成された加熱調理器の冷却風の経路構成について、以下その動作、作用を説明する。
【００４４】
前記従来の方式においては、調理庫２２周辺の熱が熱源１１および端子部５１に伝熱されるが、冷却風を熱源１１および熱源１１周辺の部材へ方向を定めてうまく導風することが困難であった。
【００４５】
更に、熱源の高出力化、高火力化に伴い、熱源１１及び端子部５１の発熱量も多くなり冷却効率の向上が益々必要となっている。
【００４６】
図４に示すように、熱源１１に電力を供給するために設けた端子部５１に向けて分離した冷却風を送風する構成とすることにより、熱源１１および端子部５１が調理庫２２の発熱により温められることを防ぐと同時に、ファン１５が吸気した調理器本体１２外の略室
温に近い比較的冷たい冷却風を直接熱源１１へと送風することが可能となる。
【００４７】
以上のことにより、冷却効率を更に高めた信頼性に富む、内部部品の冷却効率の高い耐久性に富む商品価値の高い加熱調理器とすることができる。
【００４８】
更に熱源１１およびその周辺部材や端子部５１の温度上昇が制限となり熱源１１の出力が十分上げられず加熱調理性能が劣化するという課題も解決することができる。
【００４９】
本実施の形態は、キッチンに組み込むビルトインタイプの加熱調理器のみならず、台上に設置する据え置きタイプの加熱調理器において前記のような構成としても同様の効果が得られる。これにより、使い勝手の良い、内部部品の冷却効率の高い、内部部品の耐久性に富む商品価値の高い加熱調理器とすることができる。
【００５０】
（実施の形態３）
図５は本発明の第３の実施の形態における加熱調理器の詳細図を示すものである。基本的な構成は実施の形態１または２と同様であるため、構成の違うところのみを説明する。
【００５１】
図５に示すように、実施の形態１または２に加えて、調理庫遮蔽板３２上に冷却風を排気口１０へと送風する調理庫遮蔽板開口部５２を更に有する構成としている。
【００５２】
以上のように構成された加熱調理器の冷却風の流れる経路構成について、以下その動作、作用を説明する。
【００５３】
調理庫遮蔽板開口部５２と熱源１１とダクト３９が略直線上に配置される構成とすることにより、冷却風を円滑に排気導風できる構成とする。このことにより、排気圧損が低減できファン１５の回転数が低く抑えることができ低騒音で熱源及び熱源周辺部材の冷却効率を高めた信頼性に富む、内部部品の冷却効率の高い耐久性に富む商品価値の高い加熱調理器とすることができる。
【００５４】
以上のことにより、調理器本体１２の特に調理庫２２側の外郭外面および周辺部材の冷却効率が向上する効果が得られる。これにより、低騒音で使い勝手の良い、内部部品の冷却効率の高い、信頼性に富む商品価値の高い加熱調理器とすることができる。
【００５５】
（実施の形態４）
図６は本発明の第４の実施の形態における加熱調理器の詳細図を示すものである。基本的な構成は実施の形態３と同様であるため、構成の違うところのみを説明する。
【００５６】
図６に示すように、実施の形態１から３に加えて、調理庫遮蔽板３２とダクト３９で形成される冷却風を導風する風路内の調理庫遮蔽板３２上に断熱部材４９を有する構成としている。
【００５７】
以上のように構成された加熱調理器の冷却風の流れる経路構成について、以下その動作、作用を説明する。
【００５８】
調理庫遮蔽板３２とダクト３９で形成される冷却風を導風する風路内の調理庫遮蔽板３２上に断熱部材４９を設けることにより、更に冷却風が調理庫から受熱することを防ぎ冷却効率を高めた信頼性に富む、内部部品の冷却効率の高い耐久性に富む商品価値の高い加熱調理器とすることができる。
【００５９】
キッチンに組み込むビルトインタイプの加熱調理器のみならず、台上に設置する据え置
きタイプの加熱調理器において前記のような構成としても同様の効果が得られる。これにより、耐久性、信頼性に富む、調理性能の高い、使い勝手の良い商品価値の高い加熱調理器とすることができる。
【００６０】
（実施の形態５）
図７は本発明の第５の実施の形態における加熱調理器の詳細図を示すものである。基本的な構成は実施の形態１から３と同様であるため、構成の違うところのみを説明する。
【００６１】
図７に示すように、実施の形態１から３に加え、熱源１１に制御基板２０から電力を供給するために設けたリード線５０を有し、リード線５０を固定するリード線固定形状５３をダクトの一部で形成した構成とする。
【００６２】
以上のように構成された加熱調理器について、以下その動作、作用を説明する。
【００６３】
冷却風が調理庫から受熱することを防ぐと同時に組立性が向上し、リード線５０や端子部５１を含む熱源１１周辺部材および熱源１１の冷却効率を高めた信頼性に富む、内部部品の冷却効率の高い耐久性に富む商品価値の高い加熱調理器とすることができる。
【００６４】
リード線５０を冷却風の妨げにならない位置にリード線固定形状５３によって結束できるため、冷却効率の向上と排気圧損の低減を図ることができる。このことにより、ファン１５の回転数が低く抑えることができ低騒音な加熱調理器とできる効果が得られる。
【００６５】
また、熱源１１周辺部材の温度上昇が制限となり熱源１１の出力が十分上げられず加熱調理性能が劣化するという課題も解決することができる。調理器本体１２外郭の温度上昇が抑制され、調理器本体１２周辺の室温上昇も防ぐことができ、快適に調理できる等の効果がある。キッチン等の調理器本体１２周辺の温度上昇も抑制でき、周辺部材への温度上昇を抑え温度上昇による劣化も防ぐことができる等の効果が得られる。
【００６６】
キッチンに組み込むビルトインタイプの加熱調理器のみならず、台上に設置する据え置きタイプの加熱調理器において、前記のような構成としても同様の効果が得られる。これにより、内部部品の耐久性、信頼性に富む、調理性能の高い、使い勝手の良い商品価値の高い加熱調理器とすることができる。
【００６７】
（実施の形態６）
図８は本発明の第６の実施の形態における加熱調理器の詳細図を示すものである。基本的な構成は実施の形態１から３と同様であるため、構成の違うところのみを説明する。
【００６８】
図８に示すように、実施の形態１から３に加え、ダクト３９の熱源１１に送風する複数の開口部４０の少なくとも一つの開口部４０の上面は熱源１１の上部よりも上方に形成した構成としている。以上のように構成された加熱調理器の冷却風の経路構成について、以下その動作、作用を説明する。
【００６９】
ダクト３９の熱源１１に送風する複数の開口部４０の少なくとも一つの開口部４０の上面は熱源１１の上部よりも上方に形成することで、熱源１１の上面と下面側双方から同時に冷却風を熱源１１及び熱源１１周辺部材へと導風することが可能となる。
【００７０】
このことにより、熱源１１が調理庫２２の発熱により温められることを防ぐと同時に、ファン１５が吸気した調理器本体１２外の略室温に近い比較的冷たい冷却風を直接熱源１１へと送風することが可能となる。
【００７１】
よって、冷却効率を高めた信頼性に富む、内部部品の冷却効率の高い耐久性に富む商品価値の高い加熱調理器とすることができる。熱源１１や熱源１１周辺の部材を調理庫２２の熱から保護し、部品をその耐熱温度以下にすることが容易に可能となる。
【００７２】
このことにより、少ない風量で冷却効率を高めた構成となるためファン１５の回転数を低くすることができ、低騒音で高効率の冷却性能が実現できる加熱調理器とすることができる。
【産業上の利用可能性】
【００７３】
以上のように、本発明にかかる加熱調理器は、熱源や調理庫周辺の部材の温度上昇を抑制できる構成であるため、使い勝手が良い、かつ内部部品の耐久性に富み商品価値高くすることが可能となるので、他の同じような強制空冷方式を構成する加熱調理機器等の用途にも適用できる。
【符号の説明】
【００７４】
４  操作部
１０  排気口
１１  熱源
１２  調理器本体
１３  吸気口
１５  ファン
１７  ファン吸気口
２０  制御基板
２１  基板ケース
２２  調理庫
３０  ファン排気口
３１  扉
３２  調理庫遮蔽板
３９  ダクト
４０  開口部
４９  断熱部材
５０  リード線
５１  端子部
５２  調理庫遮蔽板開口部
５３  リード線固定形状
【図１】
2011099643.tif 000003
【図２】
2011099643.tif 000004
【図３】
2011099643.tif 000005
【図４】
2011099643.tif 000006
【図５】
2011099643.tif 000007
【図６】
2011099643.tif 000008
【図７】
2011099643.tif 000009
【図８】
2011099643.tif 000010